(57)【要約】【課題】セキュリティの確保とユーザーの利便性を両立させることができるセキュリティシステムを提供する。【解決手段】電力供給装置１に備えられたセキュリティシステム１０であって、セキュリティ機能を有効にするセキュリティ手段１１と、ユーザーにより予め設定された解除時間帯にセキュリティ機能を無効にするセキュリティ機能無効手段１２と、入力操作受付部３において行われる特定の入力操作が行われた回数が予め設定された設定回数を超えた場合に、所定の条件を満たすまで入力操作受付部３による入力情報の受け付けを禁止する受付禁止手段１４とを有し、入力情報の受け付けが禁止されている時間帯は、入力情報が新たに記憶部４に格納されることはなく、指令動作実行部６の制御下で充電および給電がそれぞれ開始および停止され得ない一方、予約動作実行部５の制御下で充電および給電がそれぞれ開始および停止され得ることを特徴とする。【選択図】図１
2015106239.tif 000002
【特許請求の範囲】
【請求項１】
系統から供給された系統電力を直流電力に変換し、当該直流電力により蓄電池の充電を行う一方、前記蓄電池の放電電力を交流電力に変換し、当該交流電力により負荷への給電を行う電力変換部と、
ユーザーの入力操作に応じた入力情報を受け付ける入力操作受付部と、
前記入力情報のうち少なくとも、前記充電および前記給電の予約に関する予約情報と、パスワードを利用したセキュリティ機能に関するセキュリティ情報とを格納する記憶部と、
前記記憶部を参照し、前記予約情報に含まれる前記充電の予約時間帯に前記充電が行われ、かつ前記予約情報に含まれる前記給電の予約時間帯に前記給電が行われるように前記電力変換部を制御する予約動作実行部と、
前記入力情報のうち前記充電の開始に関する指令情報に基づいて直ちに前記充電が開始され、前記入力情報のうち前記充電の停止に関する指令情報に基づいて直ちに前記充電が停止され、前記入力情報のうち前記給電の開始に関する指令情報に基づいて直ちに前記給電が開始され、かつ前記入力情報のうち前記給電の停止に関する指令情報に基づいて直ちに前記給電が停止されるように前記電力変換部を制御する指令動作実行部と、
を含む電力供給装置に備えられたセキュリティシステムであって、
前記セキュリティ機能を有効にするセキュリティ手段と、
前記記憶部を参照し、前記セキュリティ情報に含まれる前記セキュリティ機能の解除時間帯に、前記セキュリティ機能を無効にするセキュリティ機能無効手段と、
前記入力操作受付部において行われる入力操作のうち特定の入力操作が行われた回数が、予め設定された設定回数を超えた場合に、所定の条件を満たすまで、前記入力操作受付部による前記入力情報の受け付けを禁止する受付禁止手段と、
を有し、
前記入力情報の受け付けが禁止されている時間帯は、前記入力情報が新たに前記記憶部に格納されることはなく、かつ前記指令動作実行部の制御下で前記充電および前記給電がそれぞれ開始および停止され得ない一方、前記予約動作実行部の制御下で前記充電および前記給電がそれぞれ開始および停止され得ることを特徴とするセキュリティシステム。
【請求項２】
前記解除時間帯にのみ前記特定の入力操作が行われた回数をカウントするとともに、予め設定された時間が経過するたびにカウントした回数をリセットするカウンタを有し、
前記受付禁止手段は、前記カウンタがカウントした回数を前記特定の入力操作が行われた回数とする、
ことを特徴とする請求項１に記載のセキュリティシステム。
【請求項３】
前記解除時間帯は、日付または曜日毎に設定されていることを特徴とする請求項１または２に記載のセキュリティシステム。
【請求項４】
前記セキュリティ機能無効手段は、前記入力操作受付部において行われる入力操作のうち一部の入力操作に対してのみ、前記セキュリティ機能を無効にすることを特徴とする請求項１〜３のいずれか一項に記載のセキュリティシステム。
【発明の詳細な説明】
【技術分野】
【０００１】
本発明は、セキュリティシステムに関し、特に、蓄電手段の充電と負荷への給電とを行う電力供給装置に備えられたセキュリティシステムに関する。
【背景技術】
【０００２】
蓄電手段の充電と負荷への給電とを行う電力供給装置としては、例えば、特許文献１に記載の電力供給装置がある。この電力供給装置は、系統から供給された系統電力を直流電力に変換し、当該直流電力により電気自動車に搭載されたバッテリーの充電を行う一方、バッテリーの放電電力を交流電力に変換し、当該交流電力により負荷への給電を行う。
【０００３】
一般に、電気自動車に搭載されたバッテリーに接続される電力供給装置は、屋外に設置されることから、正規のユーザー以外の者に無断で使用されるおそれがある。このため、従来の電力供給装置には、ユーザーにパスワード（例えば、４桁の数字）の入力操作を要求し、入力されたパスワードが予め設定されたパスワードと一致した場合にのみパスワードの入力操作以外の入力操作を受け付ける、といったセキュリティ機能を発揮させるセキュリティシステムが備えられている。
【先行技術文献】
【特許文献】
【０００４】
【特許文献１】特開２０１２−７０５３６号公報
【発明の概要】
【発明が解決しようとする課題】
【０００５】
しかしながら、従来のセキュリティシステムでは、正規のユーザー以外の者に無断で使用されるのを防ぐことができる反面、正規のユーザーは電力供給装置を使用するたびにパスワードの入力操作を行わなければならず、利便性が損なわれていた。
【０００６】
本発明は上記事情に鑑みてなされたものであって、その課題とするところは、セキュリティの確保とユーザーの利便性を両立させることができるセキュリティシステムを提供することにある。
【課題を解決するための手段】
【０００７】
上記課題を解決するために、本発明に係るセキュリティシステムは、（１）系統から供給された系統電力を直流電力に変換し、当該直流電力により蓄電池の充電を行う一方、蓄電池の放電電力を交流電力に変換し、当該交流電力により負荷への給電を行う電力変換部と、ユーザーの入力操作に応じた入力情報を受け付ける入力操作受付部と、入力情報のうち少なくとも、充電および給電の予約に関する予約情報と、パスワードを利用したセキュリティ機能に関するセキュリティ情報とを格納する記憶部と、記憶部を参照し、予約情報に含まれる充電の予約時間帯に充電が行われ、かつ予約情報に含まれる給電の予約時間帯に給電が行われるように電力変換部を制御する予約動作実行部と、入力情報のうち充電の開始に関する指令情報に基づいて直ちに充電が開始され、入力情報のうち充電の停止に関する指令情報に基づいて直ちに充電が停止され、入力情報のうち給電の開始に関する指令情報に基づいて直ちに給電が開始され、かつ入力情報のうち給電の停止に関する指令情報に基づいて直ちに給電が停止されるように電力変換部を制御する指令動作実行部と、を含む電力供給装置に備えられたセキュリティシステムであって、セキュリティ機能を有効にするセキュリティ手段と、記憶部を参照し、セキュリティ情報に含まれるセキュリティ機能の解除時間帯に、セキュリティ機能を無効にするセキュリティ機能無効手段と、入力操作受付部において行われる入力操作のうち特定の入力操作が行われた回数が、予め設定された設定回数を超えた場合に、所定の条件を満たすまで、入力操作受付部による入力情報の受け付けを禁止する受付禁止手段と、を有し、入力情報の受け付けが禁止されている時間帯は、入力情報が新たに記憶部に格納されることはなく、かつ指令動作実行部の制御下で充電および給電がそれぞれ開始および停止され得ない一方、予約動作実行部の制御下で充電および給電がそれぞれ開始および停止され得ることを特徴とする。
【０００８】
この構成によれば、解除時間帯には、セキュリティ機能無効手段によりセキュリティ機能が無効となるのでユーザーはパスワードの入力操作を行うことなく電力供給装置を使用することができる一方、解除時間帯以外の時間帯には、セキュリティ機能が有効となるので正規のユーザー以外の者に電力供給装置が無断で使用されるのを防ぐことができる。すなわち、この構成によれば、セキュリティの確保とユーザーの利便性を両立させることができる。
【０００９】
また、この構成によれば、受付禁止手段により入力操作受付部による入力情報の受け付けを禁止させることができるので、セキュリティ機能が無効となっている解除時間帯であっても、一定レベル以上のセキュリティを確保することができる。さらに、この構成によれば、解除時間帯であっても、予約動作実行部の制御下で充電および給電がそれぞれ開始および停止され得るので、ユーザーの利便性をより向上させることができる。
【００１０】
上記（１）のセキュリティシステムでは、（２）解除時間帯にのみ特定の入力操作が行われた回数をカウントするとともに、予め設定された時間が経過するたびにカウントした回数をリセットするカウンタを有し、受付禁止手段は、カウンタがカウントした回数を特定の入力操作が行われた回数とすることが好ましい。
【００１１】
上記（１）または（２）のセキュリティシステムでは、例えば、（３）解除時間帯は、日付または曜日毎に設定されていてもよい。
【００１２】
上記（１）〜（３）のセキュリティシステムでは、例えば、（４）セキュリティ機能無効手段は、入力操作受付部において行われる入力操作のうち一部の入力操作に対してのみ、セキュリティ機能を無効にするよう構成できる。
【発明の効果】
【００１３】
本発明によれば、セキュリティの確保とユーザーの利便性を両立させることができるセキュリティシステムを提供することができる。
【図面の簡単な説明】
【００１４】
【図１】本発明に係るセキュリティシステムを備えた電力供給装置のブロック図である。
【図２】本発明における判定手段の動作の一例を示すフローチャートである。
【図３】本発明における受付禁止手段の動作の一例を示すフローチャートである。
【図４】本発明におけるセキュリティ手段の動作の一例を示すフローチャートである。
【図５】本発明における判定手段の動作の変形例を示すフローチャートである。
【発明を実施するための形態】
【００１５】
以下、添付図面を参照して、本発明に係るセキュリティシステムの好ましい実施形態について説明する。なお、以下の実施形態では、「蓄電池」を電気自動車に搭載されたバッテリーとし、「負荷」を一般家庭における家庭負荷（電化製品等）としたが、これらは単なる一例である。
【００１６】
［構成］
図１に、本発明の一実施形態に係るセキュリティシステム１０を備えた電力供給装置１を示す。同図に示すように、セキュリティシステム１０は、電力変換部２と、入力操作受付部３と、記憶部４と、予約動作実行部５と、指令動作実行部６と、時計部７と、を含む電力供給装置１に備えられている。
【００１７】
電力変換部２は、系統Ｇから供給された系統電力（交流電力、例えば、２００［ＶＡＣ］）を直流電力（例えば、３８０［ＶＤＣ］）に変換し、当該直流電力により電気自動車に搭載されたバッテリーＢの充電を行う一方、バッテリーＢの放電電力を系統電力と同等の交流電力（例えば、２００［ＶＡＣ］）に変換し、当該交流電力により家庭負荷Ｌへの給電を行うよう構成されている。
【００１８】
入力操作受付部３は、ユーザーが操作可能になっており、ユーザーの入力操作に応じた入力情報を受け付けるよう構成されている。具体的には、入力操作受付部３は、ユーザーの入力操作を検出し、検出した入力操作に応じた入力情報を出力する指令手段を有している。また、入力操作受付部３は、電力供給装置１の動作状態や現在時刻等を表示するための表示手段をさらに有している。本実施形態では、入力操作受付部３として、表示手段を兼ねた指令手段であるタッチパネル（操作パネル）を採用している。
【００１９】
入力操作受付部３の画面には、電力供給装置１の現在の動作状態（充電、給電、待機）、現在の日時、各種指令に関するボタンが表示される。各種指令に関するボタンには、充電を開始させるためのボタン、充電を停止させるためのボタン、給電を開始させるためのボタン、給電を停止させるためのボタン、充電の予約（タイマー充電の設定）をするためのボタン、給電の予約（タイマー給電の設定）をするためのボタン、充電電力量および給電電力量を表示するためのボタン、後述するセキュリティ機能を設定するためのボタン、電力設定のシステム設定に関するボタン等がある。ユーザーによりこれらのボタンのうちいずれかのボタンが押されると、入力操作受付部３は、押されたボタンを検出し、そのボタンに対応した指令を入力情報として出力する。
【００２０】
記憶部４は、不揮発性のメモリからなる。記憶部４には、入力情報のうち少なくとも、セキュリティ機能に関する情報（セキュリティ情報）、電力供給装置１のシステム設定に関する情報、および充電および給電の予約に関する情報（予約情報）が格納される。
【００２１】
予約動作実行部５は、マイコン等からなり、記憶部４から読み出した予約情報および時計部７から受け取った現在時刻に対応した情報に基づいて、電力変換部２の充電（タイマー充電）および給電（タイマー給電）を制御する。より詳しくは、記憶部４にタイマー充電の予約に関する予約情報が格納されている場合、予約動作実行部５は、現在時刻が予約情報に含まれる充電開始時刻になると自動的に充電を開始させ、現在時刻が予約情報に含まれる充電停止時刻になると自動的に充電を停止させるように電力変換部２を制御する。一方、記憶部４にタイマー給電の予約に関する予約情報が格納されている場合、予約動作実行部５は、現在時刻が予約情報に含まれる給電開始時刻になると自動的に給電を開始させ、現在時刻が予約情報に含まれる給電停止時刻になると自動的に給電を停止させるように電力変換部２を制御する。
【００２２】
指令動作実行部６は、マイコン等からなり、入力操作受付部３が受け付けた入力情報（指令情報）に基づいて、電力変換部２の充電および給電を制御する。より詳しくは、指令動作実行部６は、入力情報のうち充電開始に関する指令情報に基づいて直ちに充電を開始させ、入力情報のうち充電停止に関する指令情報に基づいて直ちに充電を停止させ、入力情報のうち給電開始に関する指令情報に基づいて直ちに給電を開始させ、かつ入力情報のうち給電停止に関する指令情報に基づいて直ちに給電を停止させるように、電力変換部２を制御する。
【００２３】
時計部７は、予約動作実行部５およびセキュリティシステム１０からの要求に応じて、現在の日時に対応した情報を予約動作実行部５およびセキュリティシステム１０に出力する。また、時計部７は、入力操作受付部３の画面に表示された日時を一定時間間隔（例えば、１００ｍｓ間隔）で更新する。
【００２４】
セキュリティシステム１０は、マイコン等からなり、セキュリティ手段１１と、セキュリティ機能無効手段１２と、判定手段１３と、受付禁止手段１４と、を有している。
【００２５】
セキュリティ手段１１は、入力操作受付部３にパスワード（例えば、４桁の数字）を入力させるためのパスワード入力画面を表示させて、ユーザーにパスワードの入力操作を要求する。ユーザーによるパスワードの入力操作が行われると、セキュリティ手段１１は、入力操作受付部３が受け付けたパスワードと予め設定されたパスワード（工場出荷時またはユーザーにより設定されたパスワード）とを照合する。入力操作受付部３が受け付けたパスワードと予め設定されたパスワードとが一致している場合、セキュリティ手段１１は、パスワード入力画面を元の画面（例えば、各種指令に関するボタン等が表示された画面）に切り替えるので、入力操作受付部３は、パスワード以外の入力情報の受け付けが可能となる。一方、入力操作受付部３が受け付けたパスワードと予め設定されたパスワードとが一致していない場合、セキュリティ手段１１は、入力操作受付部３にパスワード入力画面を再度表示させるので、入力操作受付部３は、パスワード以外の入力情報の受け付けが不可能となる。
【００２６】
ユーザーは、セキュリティ手段１１が入力操作受付部３にパスワード入力画面を表示させるタイミングを、適宜設定することができる。例えば、入力操作受付部３に表示された各種指令に関するボタンが押されるたびに、パスワード入力画面が表示されるように設定してもよいし、一定時間入力操作がないときに入力操作受付部３がスリープ状態になる場合、スリープ状態からの復帰時に、パスワード入力画面が表示されるように設定してもよい。
【００２７】
セキュリティ機能無効手段１２は、ユーザーにより予め設定された解除時間帯に、セキュリティ手段１１のセキュリティ機能を無効にする。より詳しくは、セキュリティ機能無効手段１２がセキュリティ機能を無効にする前段階として、ユーザーは、入力操作受付部３に表示されたセキュリティ設定画面において、セキュリティ機能を無効にすることを望む解除時間帯（例えば、日常的に電力供給装置１を使用する時間帯）を設定しておく。設定された解除時間帯に関する情報は、セキュリティ情報として記憶部４に格納される。そして、セキュリティ機能無効手段１２は、一定時間間隔で時計部７から現在時刻に対応した情報を受け取るとともに記憶部４からセキュリティ情報（解除時間帯に関する情報）を読み取り、現在時刻が解除時間帯に含まれている場合に、セキュリティ機能を無効にする。これにより、解除時間帯においては、入力操作受付部３にパスワード入力画面が表示されなくなる。
【００２８】
ユーザーは、解除時間帯として複数の時間帯を設定することができる。例えば、記憶部４に格納された解除時間帯が７時〜８時の時間帯と２０時〜２１時の時間帯である場合、ユーザーは、７時〜８時の時間帯と２０時〜２１時の時間帯はパスワードの入力操作を行うことなく電力供給装置１を使用することができる。
【００２９】
また、セキュリティ機能無効手段１２は、入力操作受付部３において行われる入力操作のうち一部の入力操作に対してのみ、セキュリティ機能を無効にすることもできる。一部の入力操作に対してのみセキュリティ機能を無効にする場合、ユーザーは、入力操作受付部３に表示されたセキュリティ設定画面においてセキュリティ機能を無効にする対象となる入力操作（上記一部の入力操作）を予め設定しておく必要がある。設定された上記一部の入力操作に関する情報は、解除時間帯に関する情報とともに記憶部４に格納される。そして、セキュリティ機能無効手段１２は、一定時間間隔で時計部７から現在時刻に対応した情報を受け取るとともに記憶部４から解除時間帯および上記一部の入力操作に関する情報を読み取り、現在時刻が解除時間帯に含まれている場合であって、かつ入力操作受付部３において行われた入力操作が上記一部の入力操作に含まれている場合には、セキュリティ機能を無効にする。言い換えれば、現在時刻が解除時間帯に含まれている場合であっても、入力操作受付部３において行われた入力操作が上記一部の入力操作とは異なる場合は、セキュリティ機能は無効にならず、入力操作受付部３にはパスワード入力画面が表示されることとなる。
【００３０】
さらに、セキュリティ機能無効手段１２は、セキュリティ機能が無効になる入力操作を解除時間帯毎に設定することもできる。例えば、セキュリティ機能無効手段１２は、７時〜８時の解除時間帯は充電に関する入力操作に対してのみセキュリティ機能を無効にし、２０時〜２１時の解除時間帯は充電および給電に関する入力操作に対してセキュリティ機能を無効にすることができる。
【００３１】
判定手段１３は、受付禁止手段１４に受付禁止処理を行わせるか否かの判定を行う。詳細は後述するが、判定手段１３は、入力操作受付部３において行われる入力操作のうち特定の入力操作が行われた回数が、予め設定された設定回数（例えば、５回）を超えたか否かの判定を少なくとも行う。特定の入力操作が行われた回数は、不図示のカウンタにより計測される。カウンタは、予め設定された時間（例えば、３分）が経過するたびにカウントした回数をリセットする。ユーザーは、判定手段１３に上記判定を行わせる前段階として、入力操作受付部３に表示されたセキュリティ設定画面において、どの入力操作を特定の入力操作とするか、および設定回数を何回にするか等の設定を行う必要がある。これらの設定に関するセキュリティ情報は、記憶部４に格納される。
【００３２】
受付禁止手段１４は、判定手段１３が受付禁止手段１４に受付禁止処理を行わせると判定した場合、すなわち特定の入力操作が行われた回数（カウンタがカウントした回数）が予め設定された設定回数（例えば、５回）を超えた場合に、所定の条件を満たすまで入力操作受付部３による入力情報の受け付けを禁止する受付禁止処理を行う。本実施形態では、受付禁止手段１４が、受付禁止処理の開始と同時に持ち時間が減り始める操作禁止タイマーを有しており、操作禁止タイマーがゼロになるまでの時間（例えば、１０分）、受付禁止処理が行われる。
【００３３】
受付禁止手段１４により受付禁止処理が行われている間、入力操作受付部３は、ユーザーの入力操作を検出しなくなるか、または、ユーザーの入力操作を検出しても当該入力操作に応じた入力情報を出力しなくなる。
【００３４】
また、受付禁止手段１４により受付禁止処理が行われている場合、上述のように入力操作受付部３による入力情報の受け付けが一切禁止されるため、指令動作実行部６の制御下で充電および給電が開始されること、指令動作実行部６の制御下で充電および給電が停止されること、予約情報、セキュリティ情報、電力供給装置１のシステム設定に関する情報等の新たな入力情報が記憶部４に格納されることはない。しかしながら、受付禁止処理が行われている場合であっても、記憶部４にあらかじめ予約情報が格納されている場合は、当該予約情報に含まれている予約時間帯に、予約動作実行部５の制御下で充電および給電が行われる。
【００３５】
結局、本実施形態に係るセキュリティシステム１０では、予め設定された解除時間帯（例えば、ユーザーが日常的に電力供給装置１を使用する時間帯）に、セキュリティ機能無効手段１２によりセキュリティ機能を無効にすることで、ユーザーはパスワードの入力操作を行うことなく電力供給装置１を使用することができる一方、解除時間帯以外の時間帯には、セキュリティ機能が有効になるので正規のユーザー以外の者に電力供給装置１が無断で使用されるのを防ぐことができる。すなわち、この本実施形態に係るセキュリティシステム１０によれば、セキュリティの確保とユーザーの利便性を両立させることができる。
【００３６】
また、本実施形態に係るセキュリティシステム１０では、特定の入力操作が行われた回数が設定回数を超えた場合に、入力操作受付部３による入力情報の受け付けを禁止させることができるので、セキュリティ機能が無効となっている解除時間帯であっても、一定レベル以上のセキュリティを確保することができる。さらに、本実施形態に係るセキュリティシステム１０では、記憶部４にあらかじめ予約情報が格納されている場合は、解除時間帯であっても予約動作実行部５の制御下で充電および給電が行われるので、ユーザーの利便性をより向上させることができる。
【００３７】
［判定手段および受付禁止手段の動作］
続いて、図２および図３を参照しながら、判定手段１３および受付禁止手段１４の動作について説明する。なお、以下の説明では、特定の入力操作に関する情報として「充電開始以外の入力操作が特定の入力操作であること」に相当する情報および設定回数に関する情報として「設定回数が５回であること」に相当する情報が記憶部４に格納されているものとする。
【００３８】
（パターン１）
電力供給装置１に電源が投入されてセキュリティシステム１０が起動すると、判定手段１３は、記憶部４に格納されている入力情報のうち少なくとも、特定の入力操作に関する情報、設定回数に関する情報、および解除時間帯に関する情報を読み出し、かつ入力操作受付部３から操作フラグに関する情報を読み出すとともに、時計部７から現在時刻に関する情報を取得する（ステップＳ０１）。
【００３９】
操作フラグに関する情報とは、入力操作受付部３において行われた入力操作に関する情報であり、入力操作を識別するための情報である。例えば、入力操作が何も行われていないときは操作フラグ＝０、充電開始の入力操作が行われたときは操作フラグ＝１、給電開始の入力操作が行われたときは操作フラグ＝２、タイマー充電予約の入力操作が行われたときは操作フラグ＝３のようになる。
【００４０】
その後、判定手段１３は、ステップＳ０１において記憶部４から読み出した解除時間帯に関する情報に基づいて、解除時間帯が設定されている否かの第１判定を行う（ステップＳ０２）。
【００４１】
第１判定において、解除時間帯が設定されていると判定された場合（ステップＳ０２でＹＥＳ）、判定手段１３は、ステップＳ０１において時計部７から取得した現在時刻が解除時間帯に含まれているか否かの第２判定を行う（ステップＳ０３）。
【００４２】
第２判定において、現在時刻が解除時間帯に含まれていると判定された場合（ステップＳ０３でＹＥＳ）、判定手段１３は、ステップＳ０１において記憶部４から読み出した特定の入力操作に関する情報および入力操作受付部３から読み出した操作フラグに関する情報に基づいて、特定の入力操作が行われたか否かの第３判定を行う（ステップＳ０４）。本実施形態では、充電開始以外の入力操作が特定の入力操作であるため、入力操作が何も行われていない場合または充電開始の入力操作が行われた場合、言い換えれば、読み出した操作フラグが０または１の場合、判定手段１３は、特定の入力操作が行われていないと判定する（ステップＳ０４でＮＯ）。一方、充電開始以外の入力操作が行われた場合、言い換えれば、読み出した操作フラグが０または１以外の場合、判定手段１３は、特定の入力操作が行われたと判定する（ステップＳ０４でＹＥＳ）。
【００４３】
第３判定において、特定の入力操作が行われていないと判定された場合（ステップＳ０４でＮＯ）、判定手段１３は、パスワード成立フラグを１に設定する（ステップＳ０５）。当該パスワード成立フラグに関する情報は、記憶部４に格納される。
【００４４】
その後、判定手段１３は再び、記憶部４に格納されている入力情報のうち少なくとも、特定の入力操作に関する情報、設定回数に関する情報、解除時間帯に関する情報を読み出し、かつ入力操作受付部３から操作フラグに関する情報を読み出すとともに、時計部７から現在時刻を取得する（ステップＳ０１）。パターン１の場合（ステップＳ０５を経由する場合）、ステップＳ０１の処理が行われてから、再びステップＳ０１の処理が行われるまで、約１００ｍｓかかる。
【００４５】
（パターン２）
第１判定において、解除時間帯が設定されていないと判定された場合（ステップＳ０２でＮＯ）、または第２判定において、現在時刻が解除時間帯に含まれていないと判定された場合（ステップＳ０３でＮＯ）、判定手段１３は、カウンタの回数とステップＳ０１において記憶部４から読み出した設定回数に関する情報に基づいて、特定の入力操作が行われた回数（カウンタの回数）が予め設定された設定回数（５回）以内か否かの第４判定を行う（ステップＳ０７）。
【００４６】
また、第３判定において、特定の入力操作が行われたと判定された場合（ステップＳ０４でＹＥＳ）、判定手段１３は、カウンタのカウント回数を１加算した上で（ステップＳ０６）、第４判定を行う（ステップＳ０７）。なお、カウンタの回数は、予め設定された時間（本実施形態では、３分）が経過するたびにリセットされる。
【００４７】
第４判定において、特定の入力操作が行われた回数が５回以内と判定された場合（ステップＳ０７でＹＥＳ）、判定手段１３は、パスワード成立フラグを０に設定する（ステップＳ０８）。当該パスワード成立フラグに関する情報は、記憶部４に格納される。
【００４８】
その後、判定手段１３は再び、記憶部４に格納されている入力情報のうち少なくとも、特定の入力操作に関する情報、設定回数に関する情報、解除時間帯に関する情報を読み出し、かつ入力操作受付部３から操作フラグに関する情報を読み出すとともに、時計部７から現在時刻を取得する（ステップＳ０１）。パターン２の場合（ステップＳ０８を経由する場合）、ステップＳ０１の処理が行われてから、再びステップＳ０１の処理が行われるまで、パターン１の場合と同様に約１００ｍｓかかる。
【００４９】
（パターン３）
第４判定において、特定の入力操作が行われた回数が５回を超えていると判定された場合（ステップＳ０７でＮＯ）、判定手段１３は、受付禁止手段１４に受付禁止処理を行わせる（ステップＳ０９）。
【００５０】
具体的には、図３に示すように、受付禁止手段１４は、記憶部４に予め格納されている操作禁止タイマーの持ち時間（本実施形態では、１０分）に関する情報を読み出し（ステップＳ１０）、操作禁止タイマーの持ち時間を１０分に設定して受付禁止処理を開始する（ステップＳ１１）。受付禁止処理が開始されると、操作禁止タイマーの持ち時間は減り始める。
【００５１】
操作禁止タイマーの持ち時間がゼロ以下になると（ステップＳ１２でＹＥＳ）、受付禁止手段１４は、受付禁止処理を解除する（ステップＳ１３）。本実施形態では、操作禁止タイマーの持ち時間が１０分に設定されている一方、カウンタのカウント回数がリセットされるまでの時間が３分に設定されているので、受付禁止処理が解除されたときはカウンタのカウント回数はゼロになっている。
【００５２】
ステップＳ１３において受付禁止処理が解除されると、判定手段１３は再び、記憶部４に格納されている入力情報のうち少なくとも、特定の入力操作に関する情報、設定回数に関する情報、解除時間帯に関する情報を読み出し、かつ入力操作受付部３から操作フラグに関する情報を読み出すとともに、時計部７から現在時刻を取得する（ステップＳ０１）。なお、パターン３の場合（ステップＳ０９を経由する場合）、ステップＳ０１の処理が行われてから再びステップＳ０１の処理が行われるまで、約１０分かかる。
【００５３】
［セキュリティ手段の動作］
続いて、図４を参照しながら、セキュリティ手段１１の動作について説明する。なお、以下の説明では、セキュリティ機能無効手段１２は、入力操作受付部３において行われる入力操作のうち「充電開始の入力操作」に対してのみセキュリティ機能を無効にするものとする。
【００５４】
入力操作受付部３に表示された各種指令に関するボタンが押されると、セキュリティ手段１１は、ステップＳ０５またはステップＳ０８において記憶部４に格納されたパスワード成立フラグに関する情報を読み出す（ステップＳ１４）。なお、各種指令に関するボタンが押されてからセキュリティ手段１１がパスワード成立フラグに関する情報を読み出すまでの時間に、判定手段１３が操作フラグに関する情報を読み出してから（ステップＳ０１）パスワード成立フラグを設定する（ステップＳ０５またはステップＳ０８）までの一連の処理が１回だけ行われるように、セキュリティ手段１１の動作のタイミングが設定されている。
【００５５】
その後、セキュリティ手段１１は、ステップＳ１４において読み出したパスワード成立フラグに関する情報に基づいて、パスワード成立フラグが１に設定されているか否かの判定を行う（ステップＳ１５）。本実施形態では、充電開始以外の入力操作を「特定の入力操作」としているため、入力操作受付部３に表示された各種指令に関するボタンのうち、充電開始に関するボタンが押された場合にはパスワード成立フラグが１に設定され、充電開始に関するボタン以外のボタンが押された場合にはパスワード成立フラグが０に設定される。
【００５６】
パスワード成立フラグが１に設定されている場合（ステップＳ１５でＹＥＳ）、すなわち、充電開始に関するボタンが押された場合、セキュリティ手段１１は、入力操作受付部３にパスワード入力画面を表示させない。これにより、入力操作受付部３は、充電開始に関するボタンに対応した入力情報を受け付けることができ、その結果、指令動作実行部６の制御下で電力変換部２による充電が開始される。
【００５７】
一方、パスワード成立フラグが０に設定されている場合（ステップＳ１５でＮＯ）、すなわち、充電開始に関するボタン以外のボタンが押された場合、セキュリティ手段１１は、入力操作受付部３にパスワード（例えば、４桁の数字）を入力させるためのパスワード入力画面を表示させて、ユーザーにパスワードの入力操作を要求する（ステップＳ１６）。
【００５８】
ユーザーによるパスワードの入力操作が行われると、セキュリティ手段１１は、入力操作受付部３が受け付けたパスワードと予め設定されたパスワード（工場出荷時またはユーザーにより設定されたパスワード）とが一致しているか否かの判定を行う（ステップＳ１７）。
【００５９】
入力操作受付部３が受け付けたパスワードと予め設定されたパスワードとが一致していない場合（ステップＳ１７でＮＯ）、セキュリティ手段１１は、入力操作受付部３にパスワード入力画面を再度表示させて、ユーザーにパスワードの入力操作を再度要求する（ステップＳ１６）。一方、入力操作受付部３が受け付けたパスワードと予め設定されたパスワードとが一致している場合（ステップＳ１７でＹＥＳ）、セキュリティ手段１１は、入力操作受付部３にパスワード入力画面を再表示させない。これにより、入力操作受付部３は、ユーザーにより押されたボタンに対応した入力情報を受け付けることができる。
【００６０】
以上、本発明に係るセキュリティシステムの好ましい実施形態について説明したが、本発明は上記実施形態に限定されるものではない。
【００６１】
例えば、セキュリティ手段１１は、セキュリティ機能の有効にするか無効にするかの設定をユーザーが入力操作受付部３において行えるように構成することができる。この構成をとった場合、セキュリティ機能が有効に設定されている間のみ、セキュリティ手段１１、セキュリティ機能無効手段１２、判定手段１３、および受付禁止手段１４が動作することになる。
【００６２】
解除時間帯が日付または曜日毎に記憶部４に格納されている場合、セキュリティ機能無効手段１２は、記憶部４を参照して現在の日付または曜日に対応した解除時間帯にセキュリティ機能を無効にするように構成することができる。この構成をとった場合、判定手段１３は、時計部７から現在時刻と現在の日付または曜日を取得し、ステップＳ０３において、現在時刻が現在の日付または曜日に対応した解除時間帯に含まれているか否かの判定を行う。この構成によれば、ユーザーの生活リズム（例えば、平日の出勤時間と休日の決まった出かける時間）にあわせて、解除時間帯を設定することが可能となるので、さらにユーザー利便性を向上させることができる。
【００６３】
判定手段１３は、受付禁止手段１４に受付禁止処理を行わせるか否かの判定を行うことができるのであれば、すなわち、特定の入力操作が行われた回数が予め設定された設定回数を超えたか否かの判定を少なくとも行うことができるのであれば、適宜構成することができる。例えば、図５に示すように、ステップＳ０４の判定をステップＳ０２およびステップＳ０３の判定の前に行うように構成することができる。この構成によれば、現在時刻が解除時間帯であるか否かにかかわらず、特定の入力操作が行われた回数がカウントされて受付禁止手段１４による受付禁止処理が行われ得るので、セキュリティをより高めることができる。
【００６４】
また、判定手段１３は、ステップＳ０２の判定を省略した構成にすることや、ステップＳ０２〜Ｓ０４の判定以外の判定を追加した構成にすることもできる。さらに、セキュリティ情報として特定の入力操作以外の入力操作に関する情報が記憶部４に格納されている場合、判定手段１３は、記憶部４に格納された特定の入力操作以外の入力操作に関する情報に基づいて、ステップＳ０４の判定を行うことになる。
【００６５】
また、予約動作実行部５、指令動作実行部６、およびセキュリティシステム１０は、単一のマイコンで構成することができる。
【符号の説明】
【００６６】
１    電力供給装置
２    電力変換部
３    入力操作受付部
４    記憶部
５    予約動作実行部
６    指令動作実行部
７    時計部
１０    セキュリティシステム
１１    セキュリティ手段
１２    セキュリティ機能無効手段
１３    判定手段
１４    受付禁止手段
【図１】
2015106239.tif 000003
【図２】
2015106239.tif 000004
【図３】
2015106239.tif 000005
【図４】
2015106239.tif 000006
【図５】
2015106239.tif 000007